(57)【要約】【課題】電流計専用の配置スペースを確保する必要がない技術を開示する。【解決手段】電池は、収容空間が形成された筐体と、筐体の収容空間内に配置された一対の電極と、少なくとも一部分が筐体の外周面側に位置しており、一対の電極のそれぞれに電気的に接続された導電性を有する一対の端子部と、端子部を通る電流の経路に配置され、当該電流を測定する、少なくとも１つの電流計と、を備える。【選択図】図４
2017224542.tif 000002
【特許請求の範囲】
【請求項１】
収容空間が形成された筐体と、
前記筐体の前記収容空間内に配置された一対の電極と、
少なくとも一部分が前記筐体の外周面側に位置しており、前記一対の電極のそれぞれに電気的に接続された導電性を有する一対の端子部と、
前記端子部を通る電流の経路に配置され、当該電流を測定する、少なくとも１つの電流計と、を備える、電池。
【請求項２】
請求項１に記載の電池であって、
前記少なくとも１つの電流計は、環状のクランプ電流計である、電池。
【請求項３】
請求項２に記載の電池であって、
前記電池は、鉛蓄電池であり、
前記端子部は、ブッシングを備え、
前記クランプ電流計は、前記ブッシングと前記電極との間に配置されている、電池。
【請求項４】
請求項１から請求項３までのいずれか一項に記載の電池であって、
前記電池は、鉛蓄電池であり、
前記少なくとも１つの電流計は、前記筐体の外周面より内側に配置されている、電池。
【請求項５】
請求項１から請求項４までのいずれか一項に記載の電池であって、
前記少なくとも１つの電流計は、環状のクランプ電流計であり、
前記一対の端子部の少なくとも一方は、柱状に延びている接続部分を有し、
前記クランプ電流計は、前記クランプ電流計の内周側に前記接続部分が位置するように配置されている、電池。
【請求項６】
請求項１から請求項５までのいずれか一項に記載の電池であって、
前記少なくとも１つの電流計は、環状の第１のクランプ電流計と、環状の第２のクランプ電流計とを含み、
前記第１のクランプ電流計は、前記第１のクランプ電流計の内周側に、前記一対の端子部の内の正極側の端子部と前記一対の電極の内の正極側の電極とを含む正極側の電流の経路が位置し、かつ、前記第１のクランプ電流計の外周側に、前記一対の端子部の内の負極側の端子部と前記一対の電極の内の負極側の電極とを含む負極側の電流の経路が位置するように配置され、
前記第２のクランプ電流計は、前記第２のクランプ電流計の内周側に、前記負極側の電流の経路が位置し、前記第２のクランプ電流計の外周側に、前記正極側の電流の経路が位置するように配置されている、電池。
【請求項７】
請求項１から請求項５までのいずれか一項に記載の電池であって、
前記少なくとも１つの電流計は、環状の第１のクランプ電流計と、環状の第２のクランプ電流計とを含み、
前記第１のクランプ電流計と前記第２のクランプ電流計とは、前記第１のクランプ電流計と前記第２のクランプ電流計との両方の内周側に、前記一対の端子部の内の一方の端子部と前記一対の電極の内の前記一方の端子部と同極側の電極とを含む一方側の電流の経路が位置し、前記第１のクランプ電流計と前記第２のクランプ電流計との両方の外周側に、前記一対の端子部の内の他方の端子部と前記一対の電極の内の前記他方の端子部と同極側の電極とを含む他方側の電流の経路が位置するように配置されており、
前記電池は、さらに、
前記第１のクランプ電流計と前記第２のクランプ電流計との間に配置された導電性を有する中間導電体を備える、電池。
【発明の詳細な説明】
【技術分野】
【０００１】
本明細書に開示される技術は、電池に関する。
【背景技術】
【０００２】
従来から、電池に流れる電流を、電流計を用いて測定する技術が知られている。この従来の技術では、電流計は、電池とは独立に構成されており、電池と外部の制御装置との間を電気的に接続する電源ラインの途中に配置されている（例えば特許文献１参照）。
【先行技術文献】
【特許文献】
【０００３】
【特許文献１】特開２００３−３２８０１号公報
【発明の概要】
【発明が解決しようとする課題】
【０００４】
上記従来の技術では、電流計は、電池とは独立に構成されているため、例えば電池とは別に電流計専用の配置スペースを確保する必要がある等の問題が生じる。
【０００５】
本明細書では、上述した課題を解決することが可能な技術を開示する。
【課題を解決するための手段】
【０００６】
本明細書に開示される技術は、以下の形態として実現することが可能である。
【０００７】
（１）本明細書に開示される電池は、収容空間が形成された筐体と、前記筐体の前記収容空間内に配置された一対の電極と、少なくとも一部分が前記筐体の外周面側に位置しており、前記一対の電極のそれぞれに電気的に接続された導電性を有する一対の端子部と、前記端子部を通る電流の経路に配置され、当該電流を測定する、少なくとも１つの電流計と、を備える。本電池によれば、電池自体が電流計を備えるので、電流計専用の配置スペースを確保する必要がない。
【０００８】
（２）上記電池において、前記少なくとも１つの電流計は、環状のクランプ電流計である構成としてもよい。本電池によれば、一般に、電池には、金属部材（鉛電池であれば電極、端子、電極と端子との間の接続部材などの鉛部材、リチウム電池やアルカリ電池であれば金属ケースや、電極の基材として使用される集電体または電極と端子との間の接続部材などの金属部材）が設けられている。このため、その金属部材がシールドとして機能することにより、電池の外部からの電磁波がクランプ電流計に与える悪影響を低減し、電流値の測定精度を高めることができる。
【０００９】
（３）上記電池において、前記電池は、鉛蓄電池であり、前記端子部は、ブッシングを備え、前記クランプ電流計は、前記ブッシングと前記電極との間に配置されている構成としてもよい。本電池によれば、クランプ電流計の両側に、シールドとして機能する金属部材が配置されるため、電池の外部からの電磁波による悪影響を、より効果的に低減し、電流値の測定精度をさらに高めることができる。
【００１０】
（４）上記電池において、前記電池は、鉛蓄電池であり、前記少なくとも１つの電流計は、前記筐体の外周面より内側に配置されている構成としてもよい。本電池によれば、電流計が電池の筐体の外周面より内側に配置されており、筐体の外部に露出しないので、電流計が電池の筐体の外周面より外側に配置された場合に比べて、鉛蓄電池から排出される酸成分による電流計の腐食を抑制することができる。
【００１１】
（５）上記電池において、前記少なくとも１つの電流計は、環状のクランプ電流計であり、前記一対の端子部の少なくとも一方は、柱状に延びている接続部分を有し、前記クランプ電流計は、前記クランプ電流計の内周側に前記接続部分が位置するように配置されている構成としてもよい。本電池によれば、電流計は、環状のクランプ電流計であるので、電流計がシャント抵抗を備える場合に比べて、電池の筐体の内部構造が複雑化することを抑制することができる。また、環状のクランプ電流計の内周側に配置された端子部の接続部分は、柱状であるので、リード線などの線材で形成された場合に比べて、電流計に対する電流測定対象の変位によって電流の測定精度が低下することを抑制することができる。
【００１２】
（６）上記電池において、前記少なくとも１つの電流計は、環状の第１のクランプ電流計と、環状の第２のクランプ電流計とを含み、前記第１のクランプ電流計は、前記第１のクランプ電流計の内周側に、前記一対の端子部の内の正極側の端子部と前記一対の電極の内の正極側の電極とを含む正極側の電流の経路が位置し、かつ、前記第１のクランプ電流計の外周側に、前記一対の端子部の内の負極側の端子部と前記一対の電極の内の負極側の電極とを含む負極側の電流の経路が位置するように配置され、前記第２のクランプ電流計は、前記第２のクランプ電流計の内周側に、前記負極側の電流の経路が位置し、前記第２のクランプ電流計の外周側に、前記正極側の電流の経路が位置するように配置されている構成としてもよい。本電池によれば、第１のクランプ電流計と第２のクランプ電流計とが同じ極性側の電流の経路に配置されている場合に比べて、電流計間の相互リアクタンスによって各電流計の測定精度が低下することを抑制することができる。
【００１３】
（７）上記電池において、前記少なくとも１つの電流計は、環状の第１のクランプ電流計と、環状の第２のクランプ電流計とを含み、前記第１のクランプ電流計と前記第２のクランプ電流計とは、前記第１のクランプ電流計と前記第２のクランプ電流計との両方の内周側に、前記一対の端子部の内の一方の端子部と前記一対の電極の内の前記一方の端子部と同極側の電極とを含む一方側の電流の経路が位置し、前記第１のクランプ電流計と前記第２のクランプ電流計との両方の外周側に、前記一対の端子部の内の他方の端子部と前記一対の電極の内の前記他方の端子部と同極側の電極とを含む他方側の電流の経路が位置するように配置されており、前記電池は、さらに、前記第１のクランプ電流計と前記第２のクランプ電流計との間に配置された導電性を有する中間導電体を備える構成としてもよい。第１のクランプ電流計と第２のクランプ電流計とが同じ極性側の電流の経路に配置される場合、特に、電池における配置スペースの制約上、第１のクランプ電流計と第２のクランプ電流計との距離が短くなり、その結果、電流計間の相互リアクタンスによって各電流計の測定精度が低下するおそれがある。これに対し、本電池では、第１のクランプ電流計と第２のクランプ電流計との間に中間導電体が配置されているので、中間導電体の磁気シールド効果により、電流計間の相互リアクタンスによって各電流計の測定精度が低下することを抑制することができる。
【図面の簡単な説明】
【００１４】
【図１】本実施形態における鉛蓄電池１００の外観構成を示す分解斜視図である。
【図２】図１のＩＩ−ＩＩの位置における鉛蓄電池１００のＹＺ断面構成を示す説明図である。
【図３】中蓋２００の一部分の上面構成を示す説明図である。
【図４】図３のＩＶ−ＩＶの位置における鉛蓄電池１００のＸＺ断面構成を示す説明図である。
【図５】各クランプ電流計４００Ａ，４００Ｂの簡略化した構成と電子回路基板８０の電気的構成とを示す説明である。
【図６】各クランプ電流計４００Ａ，４００Ｂの測定可能範囲と閾値との関係を示す説明図である。
【図７】ＣＰＵ８１が実行する処理内容を示すフローチャートである。
【図８】第２実施形態における鉛蓄電池１００ＸのＸＺ断面構成を示す説明図である。
【図９】第３実施形態における鉛蓄電池１００ＹのＸＺ断面構成を示す説明図である。
【図１０】第４実施形態における鉛蓄電池１００ＷのＸＺ断面構成を示す説明図である。
【発明を実施するための形態】
【００１５】
Ａ．第１実施形態：
Ａ−１．全体構成：
（鉛蓄電池１００の構成）
図１は、本実施形態における鉛蓄電池１００の外観構成を示す分解斜視図であり、図２は、図１のＩＩ−ＩＩの位置における鉛蓄電池１００のＹＺ断面構成を示す説明図である。なお、図２では、後述の正極板１１０Ａと負極板１１０Ｂとセパレータ１２０とについて、便宜上、視覚的に見えるように実際とは異なる構成で表現されている。各図には、方向を特定するための互いに直交するＸＹＺ軸が示されている。本明細書では、便宜的に、Ｚ軸正方向を「上方向」といい、Ｚ軸負方向を「下方向」というものとするが、鉛蓄電池１００は実際にはそのような向きとは異なる向きで設置されてもよい。図３以降についても同様である。また、以下、正極側の構成要素の符号の末尾に「Ａ」を付し、負極側の構成要素の符号の末尾に「Ｂ」を付すこととし、両者の構造が略同一である場合、負極側の構成要素の説明を省略することがある。なお、鉛蓄電池１００は、特許請求の範囲における電池に相当する。
【００１６】
図１および図２に示すように、鉛蓄電池１００は、電槽１０２と、複数の極板群１０４と、蓋１０６と、正極側の端子部３００Ａと、負極側の端子部３００Ｂとを備える。電槽１０２は、上面が開放した略直方体の容器であり、例えば合成樹脂により形成されている。電槽１０２の内部の収容空間Ｓは、区画壁（図示せず）によって横方向（Ｘ軸方向）に並ぶ複数のセル室に仕切られており、各セル室には、電解液Ｕと極板群１０４とが収容されている。電解液Ｕは、例えば希硫酸である。なお、電槽１０２および蓋１０６は、特許請求の範囲における筐体に相当する。以下、電槽１０２および蓋１０６を合わせて、筐体１０１という。
【００１７】
（極板群１０４の構成）
極板群１０４は、複数の平板状の正極板１１０Ａと、複数の平板状の負極板１１０Ｂと、正極板１１０Ａと負極板１１０Ｂとの間に配置される複数の平板状のセパレータ１２０とを備える。各極板１１０Ａ，１１０Ｂは、格子体に活物質が充填された導電性部材であり、上部には耳部１１１Ａ，１１１Ｂが設けられている。複数の正極板１１０Ａの耳部１１１Ａは、正極側の集電部材１１２Ａによって連結されており、複数の負極板１１０Ｂの耳部１１１Ｂは、負極側の集電部材１１２Ｂによって連結されている。セル室間では、互いに極性が異なる集電部材１１２Ａ，１１２Ｂ同士が接続部材１３０を介して接続されることによって、複数の極板群１０４が電気的に直列に接続されている。なお、１つのセパレータ１２０を挟んで対向する正極板１１０Ａおよび負極板１１０Ｂは、特許請求の範囲における一対の電極に相当する。
【００１８】
（蓋１０６の構成）
蓋１０６は、中蓋２００と、第１の上蓋２０１と、第２の上蓋２０２とを備える。中蓋２００は、下面が開放した略矩形の部材であり、電槽１０２の上端開口部に対応したサイズであり、例えば合成樹脂により形成されている。中蓋２００が電槽１０２の上端開口部に嵌められて、中蓋２００と電槽１０２とが例えば熱溶着されることによって、各セル室が密閉状態になっている。
【００１９】
図３は、中蓋２００の一部分の上面構成を示す説明図であり、図４は、図３のＩＶ−ＩＶの位置における鉛蓄電池１００のＸＺ断面構成を示す説明図である。図１、図３および図４に示すように、正極側の端子部３００Ａと負極側の端子部３００Ｂとは、中蓋２００の上下方向（Ｚ方向）回りの外周における１つの辺（Ｘ軸に平行な２つの辺の内のＹ軸負方向側の辺）の両端付近にそれぞれ配置されている。なお、正極側の端子部３００Ａおよび負極側の端子部３００Ｂは、特許請求の範囲における一対の端子部に相当する。正極側の端子部３００Ａと負極側の端子部３００Ｂとは、構成が略同一であるため、以下、正極側の端子部３００Ａを例にとって構成を説明する。
【００２０】
図４に示すように、正極側の端子部３００Ａは、ブッシング３１０Ａと、極柱３２０Ａとを含む。ブッシング３１０Ａは、上下方向に貫通する貫通孔３１１Ａが形成された略円筒状の導電性部材であり、例えば鉛合金等の金属により形成されている。ブッシング３１０Ａの下側部分は、インサート成形により中蓋２００に埋設されており、ブッシング３１０Ａの上側部分は中蓋２００の上面から上方に突出している。中蓋２００におけるブッシング３１０Ａの下方部分には、ブッシング３１０Ａの貫通孔３１１Ａに連通する連通孔２０２Ａが貫通形成されている。また、ブッシング３１０Ａの内、中蓋２００に埋設された下側部分には、側方（Ｘ軸方向）に延びる端子接続導体３１２Ａが設けられている。端子接続導体３１２Ａは、板状の導電性部材であり、例えば鉛等の金属により形成されている。なお、ブッシング３１０Ａの先端部分は、負荷等（図示せず）に接続される正極側の外部接続端子として機能する。
【００２１】
極柱３２０Ａは、略円柱形の導電性部材であり、例えば鉛合金等の金属により形成されている。極柱３２０Ａは、ブッシング３１０Ａの貫通孔３１１Ａと中蓋２００の連通孔２０２Ａとに挿入されている。極柱３２０Ａの上下方向（Ｚ軸方向）の長さは、ブッシング３１０Ａの上下方向の長さに比べて長く、極柱３２０Ａの上端部は、ブッシング３１０Ａの上端部と略同じ位置に配置されており、極柱３２０Ａの下端部は、ブッシング３１０Ａの下端部より下方に突出し、さらに、中蓋２００の下面より下方に突出している。極柱３２０Ａの上端部は、ブッシング３１０Ａに対して溶接により接合されており、極柱３２０Ａの下端部は、上述の正極側の集電部材１１２Ａに接合されている（図２参照）。なお、正極側の端子部３００Ａと集電部材１１２Ａと耳部１１１Ａと正極板１１０Ａとは、特許請求の範囲における正極側の電流の経路に相当し、負極側の端子部３００Ｂと集電部材１１２Ｂと耳部１１１Ｂと負極板１１０Ｂとは、特許請求の範囲における負極側の電流の経路に相当する。また、当該正極側の電流の経路と当該負極側の電流の経路と接続部材１３０と電解液Ｕとを含む電流の閉回路は、特許請求の範囲における端子部を通る電流の経路に相当する。また、正極側の極柱３２０Ａと負極側の極柱３２０Ｂとは、特許請求の範囲における接続部分に相当する。
【００２２】
また、図１に示すように、中蓋２００の上面において、正極側の端子部３００Ａと負極側の端子部３００Ｂとの間には、電子回路基板８０が収納される回路収納部２０４が形成されている。図３および図４に示すように、回路収納部２０４は、Ｚ軸方向視で略矩形の凹部である。図１および図３に示すように、回路収納部２０４の底面において、正極側の端子部３００Ａ側には、上述の正極側の端子接続導体３１２Ａの先端が突出しており、負極側の端子部３００Ｂ側には、上述の負極側の端子接続導体３１２Ｂの先端が突出している。
【００２３】
電子回路基板８０は、略矩形のプリント基板であり、後述のＣＰＵ８１等の回路部品が実装されている。電子回路基板８０の電気的構成については後述する。図３に示すように、電子回路基板８０における正極側の端子部３００Ａ側の端部には、１本の端子用のリード部８６Ａと、３本のセンサ用のリード部８７Ａとが延出されており、電子回路基板８０における負極側の端子部３００Ｂ側の端部には、１本の端子用のリード部８６Ｂと、３本のセンサ用のリード部８７Ｂとが延出されている。端子用のリード部８６Ａが正極側の端子接続導体３１２Ａの先端に接続されることによって、正極側の端子部３００Ａと電子回路基板８０とが電気的に接続されており、端子用のリード部８６Ｂが負極側の端子接続導体３１２Ｂに接続されることによって、負極側の端子部３００Ｂと電子回路基板８０とが電気的に接続されている。なお、回路収納部２０４の底面には、複数（本実施形態では４つ）の突起２０６が形成されており、これらの突起２０６が、電子回路基板８０の周縁部に形成された切り欠き部分８０Ｖ内に挿入されることによって、電子回路基板８０が回路収納部２０４内において位置決め固定されている。
【００２４】
図１および図４に示すように、第１の上蓋２０１は、下面が開放した略矩形の部材であり、中蓋２００の回路収納部２０４の開口部に対応したサイズであり、例えば合成樹脂により形成されている。電子回路基板８０が回路収納部２０４内に収納された状態で、第１の上蓋２０１が回路収納部２０４の開口部に嵌められている。なお、図１に示すように、第１の上蓋２０１には、後述する表示部８４からの光を透過する透過窓２０３が形成されている。
【００２５】
また、図１および図２に示すように、中蓋２００の上面において、回路収納部２０４の後方（Ｙ軸正方向）には、流路室２０８が形成されている。この流路室２０８には各セル室内で発生したガスを外部に排気する排気通路や、排気通路内の電解液Ｕや水蒸気を各セル室に還流させる還流孔が形成されている。第２の上蓋２０２は、下面が開放し、流路室２０８の外形に対応した形状の部材であり、例えば合成樹脂により形成されている。第２の上蓋２０２は、流路室２０８を覆うように配置されている。
【００２６】
Ａ−２．クランプ電流計４００Ａ，４００Ｂの構成および配置：
鉛蓄電池１００は、さらに、正極側のクランプ電流計４００Ａと負極側のクランプ電流計４００Ｂとを備える。図５は、各クランプ電流計４００Ａ，４００Ｂの簡略化した構成と電子回路基板８０の電気的構成とを示す説明である。正極側のクランプ電流計４００Ａは、交直零磁束制御方式のクランプ電流計であり、略円環状の磁気コア４１０Ａと、磁気コア４１０Ａの間欠部分に配置されるホール素子４２０Ａと、磁気コア４１０Ａに巻かれた帰還コイル４３０Ａとを備える。負極側のクランプ電流計４００Ｂは、正極側のクランプ電流計４００Ａより測定可能範囲が広い点が異なるが、それ以外の構成は正極側のクランプ電流計４００Ａと略同一である。正極側のクランプ電流計４００Ａは、特許請求の範囲における第１の電流計に相当し、負極側のクランプ電流計４００Ｂは、特許請求の範囲における第２の電流計に相当する。
【００２７】
図４に示すように、正極側のクランプ電流計４００Ａは、当該正極側のクランプ電流計４００Ａ（磁気コア４１０Ａ）の内周側に正極側の極柱３２０Ａが位置し、かつ、正極側のクランプ電流計４００Ａの外周側に負極側の極柱３２０Ｂが位置するように配置されている。具体的には、正極側のクランプ電流計４００Ａは、上述の中蓋２００に形成された連通孔２０２Ａを囲むように、中蓋２００における正極側のブッシング３１０Ａの下方部分の内部に埋設されている。より詳細には、正極側のクランプ電流計４００Ａの内周面は、全周にわたって連通孔２０２Ａより外側に位置し、正極側のクランプ電流計４００Ａの下面は、全周にわたって中蓋２００の下面より上側に位置していることによって、正極側のクランプ電流計４００Ａ全体が中蓋２００の内部に埋設されている。
【００２８】
図５に示すように、正極側のクランプ電流計４００Ａと電子回路基板８０とは、３本のセンサ接続導体４４１Ａによって互いに電気的に接続されている。センサ接続導体４４１Ａは、線状の導電性部材である。具体的には、２本のセンサ接続導体４４１Ａの一端は、正極側のクランプ電流計４００Ａの帰還コイル４３０Ａの両端にそれぞれ接続されており、残りの１本のセンサ接続導体４４１Ａの一端は、ホール素子４２０Ａに接続されている。３本のセンサ接続導体４４１Ａの他端は、回路収納部２０４の底面における正極側の端子部３００Ａ側に突出するように配置されている（図１および図３参照）。なお、３本のセンサ接続導体４４１Ａの上記他端を除く部分は、全長にわたって中蓋２００の内部に埋設されている。
【００２９】
負極側のクランプ電流計４００Ｂは、当該負極側のクランプ電流計４００Ｂ（磁気コア４１０Ｂ）の内周側に負極側の極柱３２０Ｂが位置し、かつ、負極側のクランプ電流計４００Ｂの外周側に正極側の極柱３２０Ａが位置するように配置されている。また、負極側のクランプ電流計４００Ｂと電子回路基板８０とは、３本のセンサ接続導体４４１Ｂによって互いに電気的に接続されている。負極側のクランプ電流計４００Ｂと電子回路基板８０とセンサ接続導体４４１Ｂとの位置関係等については、正極側と同様であるため、詳細な説明を省略する。
【００３０】
Ａ−３．電子回路基板８０の電気的構成：
図１および図５に示すように、電子回路基板８０には、ＣＰＵ８１と、不揮発性メモリ８２と、無線通信部８３と、表示部８４と、電圧センサ８５とが実装されている。電子回路基板８０は、特許請求の範囲における制御部に相当する。
【００３１】
不揮発性メモリ８２は、ＮＶＲＡＭ、フラッシュメモリ、ＨＤＤ、ＥＥＰＲＯＭなどの書き換え可能なメモリである。電圧センサ８５は、正極側の端子部３００Ａと負極側の端子部３００Ｂとに電気的に接続されており、両者の電位差に応じた信号をＣＰＵ８１に与える。ＣＰＵ８１は、所定の制御プログラムや各種センサから送られる信号に従って、後述の処理を実行する。無線通信部８３は、鉛蓄電池１００の外部の装置との間で無線通信を可能にするハードウエアである。無線通信方式は、例えばＷｉ−Ｆｉ方式、Ｂｌｕｅｔｏｏｔｈ（登録商標）などである。表示部８４は、例えばＬＥＤ等の発光素子で構成されており、ＣＰＵ８１からの指示に応じた発光パターンで発光する。
【００３２】
また、電子回路基板８０において、正極側のクランプ電流計４００Ａの帰還コイル４３０Ａに連なる２本のセンサ接続導体４４１Ａの一方と、ホール素子４２０Ａに連なる残りの１本のセンサ接続導体４４１Ａとが増幅器６１Ａを介して接続されている。また、２本のセンサ接続導体４４１Ａの他方が抵抗６２Ａを介してグランドライン（図示せず）に接続されており、当該抵抗６２Ａの電圧に応じた信号がＣＰＵ８１に与えられる。この正極側のクランプ電流計４００Ａから出力される信号は、正極側のクランプ電流計４００Ａの内周側に位置する正極側の極柱３２０Ａに流れる電流Ｉに応じた信号である。
【００３３】
同様に、電子回路基板８０において、負極側のクランプ電流計４００Ｂの帰還コイル４３０Ｂに連なる２本のセンサ接続導体４４１Ｂの一方と、ホール素子４２０Ｂに連なる残りの１本のセンサ接続導体４４１Ｂとが増幅器６１Ｂを介して接続されている。また、２本のセンサ接続導体４４１Ｂの他方が抵抗６２Ｂを介してグランドライン（図示せず）に接続されており、当該抵抗６２Ｂの電圧に応じた信号がＣＰＵ８１に与えられる。この負極側のクランプ電流計４００Ｂから出力される信号は、負極側のクランプ電流計４００Ｂの内周側に位置する負極側の極柱３２０Ｂに流れる電流Ｉに応じた信号である。従って、ＣＰＵ８１は、正極側のクランプ電流計４００Ａから出力される信号によっても、負極側のクランプ電流計４００Ｂから出力される信号によっても、鉛蓄電池１００に流れる電流Ｉを測定することができる。
【００３４】
Ａ−４．クランプ電流計４００Ａ，４００Ｂの測定可能範囲：
図６は、各クランプ電流計４００Ａ，４００Ｂの測定可能範囲と閾値との関係を示す説明図である。図６の符号Ｈ１は、正極側のクランプ電流計４００Ａの測定可能範囲を示し、符号Ｈ２は、負極側のクランプ電流計４００Ｂの測定可能範囲を示す。図６に示すように、負極側のクランプ電流計４００Ｂの測定可能範囲Ｈ２は、正極側のクランプ電流計４００Ａの測定可能範囲Ｈ１より広く、かつ、正極側のクランプ電流計４００Ａの測定可能範囲Ｈ１を包含している。例えば正極側のクランプ電流計４００Ａの測定可能範囲Ｈ１は、マイナス数十（Ａ）〜プラス数十（Ａ）であり、負極側のクランプ電流計４００Ｂの測定可能範囲Ｈ２は、マイナス数百（Ａ）〜プラス数百（Ａ）である。
【００３５】
例えば、鉛蓄電池１００が、電気自動車やハイブリット自動車等の電動車両に搭載された場合、鉛蓄電池１００に流れる電流Ｉは、車両の運転状態に応じて広範囲で変化する。すなわち、車両がアイドルストップ状態である場合、大電力を要する駆動用モータが停止され、小電力を要する電装品等のみが稼働しているため、鉛蓄電池１００には数（Ａ）の小電流が流れる。これに対して、車両が加速時等の高負荷の運転状態である場合、駆動用モータに数百（Ａ）の大電流が流れることに伴って、鉛蓄電池１００にも大電流が流れる。
【００３６】
仮に、このような広範囲に変化する電流Ｉを、１つの電流計で測定しようとすると、大電流を測定可能な広い測定可能範囲の電流計を使用せざるを得ない。しかし、測定可能範囲が広い電流計では、小電流の測定時に得られる測定値の有効桁数が少ないため、測定誤差が大きくなる。そこで、鉛蓄電池１００には、小電流の測定誤差を抑制しつつ、広範囲に変化する電流を測定することを可能にするために、互いに測定可能範囲が異なる２つのクランプ電流計４００Ａ，４００Ｂが備えられている。なお、鉛蓄電池１００に流れる電流Ｉのピーク値は、測定可能範囲Ｈ２の上限値より小さいものとする。
【００３７】
Ａ−５．電子回路基板８０の動作：
図７は、電子回路基板８０に実装されたＣＰＵ８１が実行する処理内容を示すフローチャートである。ＣＰＵ８１は、図７に示す処理を所定の時間間隔で繰り返し実行する。ＣＰＵ８１は、まず、正極側のクランプ電流計４００Ａからの信号に基づき正極側に流れる電流Ｉを測定し、負極側のクランプ電流計４００Ｂからの信号に基づき負極側に流れる電流Ｉを測定する（Ｓ１００）。
【００３８】
次に、ＣＰＵ８１は、負極側のクランプ電流計４００Ｂからの信号に基づく電流Ｉの測定値ＩＢが閾値ＳＩより大きいか否かを判断する（Ｓ１１０）。閾値ＳＩは、正極側のクランプ電流計４００Ａの測定可能範囲Ｈ１の上限値と略同一である。従って、負極側の測定値ＩＢが閾値ＳＩより大きいことは、鉛蓄電池１００に流れる電流Ｉが、正極側のクランプ電流計４００Ａの測定可能範囲Ｈ１の上限値を超えていることを意味する（図６の（１）参照）。すなわち、この場合、鉛蓄電池１００に流れる電流Ｉを、正極側のクランプ電流計４００Ａでは測定することができず、負極側のクランプ電流計４００Ｂでしか測定することができない。
【００３９】
ＣＰＵ８１は、負極側の測定値ＩＢが閾値ＳＩより大きいと判断した場合（Ｓ１１０：ＹＥＳ）、正極側のクランプ電流計４００Ａからの信号に基づく電流Ｉの測定値ＩＡを用いずに、負極側の測定値ＩＢに応じた処理を実行する（Ｓ１２０）。Ｓ１２０の処理は、例えば、負極側の測定値ＩＢを不揮発性メモリ８２に記憶する処理、不揮発性メモリ８２に記憶された負極側の測定値ＩＢの積算値に基づき鉛蓄電池１００のＳＯＣ（Ｓｔａｔｅ  Ｏｆ  Ｃｈａｒｇｅ）を算出する処理、さらに、ＳＯＣの算出結果に基づき鉛蓄電池１００の劣化度合いを算出する処理、それらの処理結果に応じて表示部８４の表示パターンを変更する処理、それらの処理結果を、無線通信部８３を介して外部に出力する処理などである。
【００４０】
ＣＰＵ８１は、負極側電流ＩＢが閾値ＳＩ以下であると判断した場合（Ｓ１１０：ＮＯ）、正極側の測定値ＩＡと負極側の測定値ＩＢとの差の絶対値が、基準値ＫＩ以下であるか否かを判断する（Ｓ１３０）。負極側電流ＩＢが閾値ＳＩ以下であることは、鉛蓄電池１００に流れる電流Ｉが、正極側のクランプ電流計４００Ａと負極側のクランプ電流計４００Ａとの両方の測定可能範囲Ｈ１，Ｈ２内にあることを意味する。一方、正極側の測定値ＩＡと負極側の測定値ＩＢとの差の絶対値が、基準値ＫＩより大きいことは、正極側のクランプ電流計４００Ａと負極側のクランプ電流計４００Ｂとで、共通の測定対象である鉛蓄電池１００に流れる電流Ｉの測定値が相違することを意味する。すなわち、正極側のクランプ電流計４００Ａと負極側のクランプ電流計４００Ｂとの少なくとも一方に誤測定があった可能性がある。
【００４１】
そこで、ＣＰＵ８１は、正極側の測定値ＩＡと負極側の測定値ＩＢとの差の絶対値が、基準値ＫＩ以下であると判断した場合（Ｓ１３０：ＹＥＳ  図６の（２）参照）、正側の測定値ＩＡに応じた処理を実行し（Ｓ１４０）、図７に示す処理を終了する。一方、ＣＰＵ８１は、正極側の測定値ＩＡと負極側の測定値ＩＢとの差の絶対値が、基準値ＫＩより大きいと判断した場合（Ｓ１３０：ＮＯ  図６の（３）参照）、エラーの報知処理を実行し（Ｓ１５０）、図７に示す処理を終了する。エラーの報知処理は、例えば、電流測定のエラーを示す情報に応じて表示部８４の表示パターンを変更する処理、電流測定のエラーを示す情報を、無線通信部８３を介して外部に出力する処理などである。無線通信部８３、表示部８４は、特許請求の範囲における報知部に相当する。
【００４２】
Ａ−６．本実施形態の効果：
本実施形態の鉛蓄電池１００によれば、鉛蓄電池１００自体がクランプ電流計４００Ａ，４００Ｂを備えるので、電流計専用の配置スペースを確保する必要がない。
【００４３】
また、鉛蓄電池１００には、極板１１０Ａ，１１０Ｂ、端子部３００Ａ，３００Ｂ、集電部材１１２Ａ，１１２Ｂ、耳部１１１Ａ，１１１Ｂや接続部材１３０の金属部材が設けられている。このため、それらの金属部材がシールドとして機能することにより、鉛蓄電池１００の外部からの電磁波がクランプ電流計４００Ａ，４００Ｂに与える悪影響を低減し、電流値の測定精度を高めることができる。
【００４４】
また、図２に示すように、各クランプ電流計４００Ａ，４００Ｂの上側には、ブッシング３１０Ａ，３１０Ｂが配置され、各クランプ電流計４００Ａ，４００Ｂの下側には、極板１１０Ａ，１１０Ｂが配置されている。これにより、各クランプ電流計４００Ａ，４００Ｂの上下の両側に、シールドとして機能する金属部材が配置されるため、鉛蓄電池１００の外部からの電磁波による悪影響を、より効果的に低減し、電流値の測定精度をさらに高めることができる。
【００４５】
また、鉛蓄電池１００は、クランプ電流計４００Ａ，４００Ｂの測定結果を取得する電子回路基板８０を備えるので、外部装置に頼ること無く、クランプ電流計４００Ａ，４００Ｂの測定結果に対応する処理を実行することができる。すなわち、鉛蓄電池１００が備える構成要素だけで、鉛蓄電池１００に流れる電流測定と、その測定結果に対応する処理とを行うことができる。なお、電子回路基板８０は、少なくとも１つの電流計に接続され、電流計による電流の測定結果を取得する処理回路であればよい。
【００４６】
また、仮に、クランプ電流計４００Ａ，４００Ｂが鉛蓄電池１００の筐体１０１の外部に配置されていると、鉛蓄電池１００の筐体１０１の外部環境の影響によって電流Ｉの測定精度が低下することがある。例えば、鉛蓄電池１００の周辺に配置された機器からの輻射熱によって外部に配置されたクランプ電流計４００Ａ，４００Ｂの温度が高くなると、鉛蓄電池１００に流れる電流が変化しなくても、クランプ電流計４００Ａ，４００Ｂによる電流Ｉの測定値が変動することがあるため、電流Ｉの測定精度が低下する。これに対して、本実施形態の鉛蓄電池１００では、クランプ電流計４００Ａ，４００Ｂの全体が鉛蓄電池１００の筐体１０１の外周面より当該筐体１０１の内側に配置されており、筐体１０１の外部に露出しないので、クランプ電流計４００Ａ，４００Ｂが鉛蓄電池１００の筐体１０１の外周面より外側に配置された場合に比べて、鉛蓄電池１００の筐体１０１の外部環境の影響によって電流Ｉの測定精度が低下することを抑制することができる。また、鉛蓄電池１００から排出される酸成分によるクランプ電流計４００Ａ，４００Ｂの腐食を抑制することができる。
【００４７】
また、本実施形態では、電流計として、環状のクランプ電流計４００Ａ，４００Ｂが備えられているので、シャント抵抗が備えられている場合に比べて、鉛蓄電池１００の筐体１０１の内部構造が複雑化することを抑制することができる。また、環状のクランプ電流計４００Ａ，４００Ｂの内周側に配置された端子部の接続部分は、可撓性が低い柱状の極柱３２０Ａ，３２０Ｂであるので、リード線などの線材で形成された場合に比べて、クランプ電流計４００Ａ，４００Ｂに対する電流測定対象の変位によって鉛蓄電池１００の電流Ｉの測定精度が低下することを抑制することができる。
【００４８】
また、本実施形態によれば、２つのクランプ電流計４００Ａ，４００Ｂが、互いに異なる極柱３２０Ａ，３２０Ｂにそれぞれ配置される。このため、２つのクランプ電流計４００Ａ，４００Ｂが、２つの極柱３２０Ａ，３２０Ｂの一方だけに配置されている場合に比べて、クランプ電流計４００Ａ，４００Ｂ間の相互リアクタンスによって各クランプ電流計４００Ａ，４００Ｂの測定精度が低下することを抑制することができる。
【００４９】
また、本実施形態によれば、測定可能範囲が相対的に広い負極側のクランプ電流計４００Ｂによって測定された電流Ｉと閾値ＳＩとの大小関係に応じて（図７のＳ１１０）、正極側のクランプ電流計４００Ａによる電流Ｉの測定値ＩＡと負極側のクランプ電流計４００Ｂによる電流Ｉの測定値ＩＢとの一方を適切に選択することができる（図７のＳ１２０，Ｓ１４０）。
【００５０】
さらに、本実施形態によれば、鉛蓄電池１００のユーザは、表示部８４等による報知動作により（図７のＳ１５０）、２つのクランプ電流計４００Ａ，４００Ｂの少なくとも一方に誤測定があったことを認識することができる。また、クランプ電流計４００Ａ，４００Ｂの測定結果が記憶される不揮発性メモリ８２を備えるので、鉛蓄電池１００の不具合等により鉛蓄電池１００が交換された場合において、交換された鉛蓄電池１００に備えられた不揮発性メモリ８２に記憶されているクランプ電流計４００Ａ，４００Ｂの測定結果から、鉛蓄電池１００の不具合の原因や電池特性等を解析することができる。
【００５１】
また、仮に、正極側のクランプ電流計４００Ａの一部が電槽１０２内に露出していると、電解液Ｕが正極側のクランプ電流計４００Ａの表面に付着することがある。正極側のクランプ電流計４００Ａの表面が電解液Ｕに触れる状態と空気に触れる状態とが交互に繰り返されると、正極側のクランプ電流計４００Ａは腐食し易くなる。これに対して、本実施形態では、正極側のクランプ電流計４００Ａ全体が中蓋２００の内部に埋設されているので、電解液Ｕ付着による正極側のクランプ電流計４００Ａの腐食を抑制することができる。また、３本のセンサ接続導体４４１Ａの上記他端を除く部分は、全長にわたって中蓋２００の内部に埋設されているので、電解液Ｕの付着によるセンサ接続導体４４１Ａの腐食を抑制することができる。
【００５２】
Ｂ．第２実施形態：
図８は第２実施形態の鉛蓄電池１００Ｘを示す。第２実施形態の鉛蓄電池１００Ｘの構成の内、上述した第１実施形態の鉛蓄電池１００と同一の構成については、同一符号を付すことによって、その説明を省略する。
【００５３】
図８に示すように、鉛蓄電池１００Ｘは、正極側のクランプ電流計４００ＡＸと負極側のクランプ電流計４００ＢＸとを備える。上記第１実施形態のクランプ電流計４００Ａ，４００Ｂは、中蓋２００の内面側に配置されていたが、本実施形態のクランプ電流計４００ＡＸ，４００ＢＸは、中蓋２００の外面側に配置されている。
【００５４】
具体的には、正極側のクランプ電流計４００ＡＸは、当該正極側のクランプ電流計４００ＡＸ（磁気コア４１０ＡＸ）の内周側に正極側の極柱３２０Ａが位置し、かつ、正極側のクランプ電流計４００ＡＸの外周側に負極側の極柱３２０Ｂが位置するように配置されている。また、正極側のクランプ電流計４００ＡＸは、当該正極側のクランプ電流計４００ＡＸの内周側に正極側のブッシング３１０Ａが位置するように中蓋２００の上面に配置されている。正極側のクランプ電流計４００ＡＸは電解液Ｕが付着することがないため、正極側のクランプ電流計４００ＡＸが電解液Ｕの付着によって腐食することを確実に抑制することができる。また、クランプ電流計４００ＡＸが、中蓋２００の内面側に配置された場合に比べて、クランプ電流計４００ＡＸの点検や交換などのメンテナンス作業を容易に行うことができる。
【００５５】
中蓋２００の上面の内、ブッシング３１０Ａ，３１０Ｂを囲む周囲部分には、外部に露出したクランプ電流計４００ＡＸ，４００ＢＸ全体を覆うようにカバー体５００Ａ，５００Ｂが配置されている。このように、クランプ電流計４００ＡＸ，４００ＢＸは、外部に露出しないため、クランプ電流計４００ＡＸ，４００ＢＸが酸化等により劣化することを抑制することができる。
【００５６】
クランプ電流計４００ＡＸ，４００ＢＸのそれぞれと電子回路基板８０とは、３本の線状のセンサ接続導体４４１ＡＸ，４４１ＢＸによって互いに電気的に接続されている。センサ接続導体４４１ＡＸは、線状の導電性部材である。なお、３本のセンサ接続導体４４１ＡＸは、カバー体５００Ａおよび第１の上蓋２０１内に埋設されている。このように、センサ接続導体４４１ＡＸ全体が外部に露出しないため、センサ接続導体４４１ＡＸが酸化等により劣化することを抑制することができる。
【００５７】
Ｃ．第３実施形態：
図９は第３実施形態の鉛蓄電池１００Ｙを示す。第３実施形態の鉛蓄電池１００Ｙの構成の内、上述した第１実施形態の鉛蓄電池１００と同一の構成については、同一符号を付すことによって、その説明を省略する。
【００５８】
図９に示すように、鉛蓄電池１００Ｙは、上記第１実施形態の正極側のクランプ電流計４００Ａ（以下、「第１のクランプ電流計４００Ａ」ということがある）と、上記第２実施形態の正極側のクランプ電流計４００ＡＸ（以下、「第２のクランプ電流計４００ＡＸ」ということがある）とを備える。すなわち、上記第１実施形態では、２つのクランプ電流計４００Ａ，４００Ｂが互いに異なる極柱３２０Ａ，３２０Ｂにそれぞれ配置されていたが、本実施形態では、２つのクランプ電流計４００Ａ，４００ＡＸが共通の極柱３２０Ａに配置されている。具体的には、２つのクランプ電流計４００Ａ，４００ＡＸの両方の内周側に正極側の極柱３２０Ａが位置し、２つのクランプ電流計４００Ａ，４００ＡＸの両方の外周側に負極側の極柱３２０Ｂが位置している。第１のクランプ電流計４００Ａは、中蓋２００の内壁面側に配置されており、第２のクランプ電流計４００ＡＸは、中蓋２００の外壁面側に配置されている。なお、正極側の端子部３００Ａは、特許請求の範囲における一方の端子部に相当し、正極板１１０Ａは、特許請求の範囲における一方の端子部と同極側の電極に相当し、正極側の端子部３００Ａと集電部材１１２Ａと耳部１１１Ａと正極板１１０Ａとを含む正極側の電流の経路は、特許請求の範囲における一方側の電流の経路に相当する。また、負極側の端子部３００Ｂは、特許請求の範囲における他方の端子部に相当し、負極板１１０Ｂは、特許請求の範囲における他方の端子部と同極側の電極に相当し、負極側の端子部３００Ｂと集電部材１１２Ｂと耳部１１１Ｂと負極板１１０Ｂとを含む負極側の電流の経路は、特許請求の範囲における他方側の電流の経路に相当する。
【００５９】
２つのクランプ電流計４００Ａ，４００ＡＸが共通の極柱３２０Ａに配置されている場合、鉛蓄電池１００における配置スペースの制約上、上記第１実施形態（図４参照）に比べて、２つのクランプ電流計４００Ａ，４００ＡＸの間の距離が短くなり、その結果、クランプ電流計４００Ａ，４００ＡＸ間の相互リアクタンスによって各クランプ電流計４００Ａ，４００ＡＸの測定精度が低下するおそれがある。これに対し、本実施形態によれば、第１のクランプ電流計４００Ａを中蓋２００（筐体１０１）の内壁面側に配置し、第２のクランプ電流計４００ＡＸを中蓋２００の外壁面側に配置することによって、２つのクランプ電流計４００Ａ，４００ＡＸの間の距離を長くすることができる。これにより、例えば２つのクランプ電流計４００Ａ，４００ＡＸが中蓋２００の内壁面側に配置される場合に比べて、２つのクランプ電流計４００Ａ，４００ＡＸ間の相互リアクタンスによって各クランプ電流計４００Ａ，４００ＡＸの測定精度が低下することを抑制することができる。
【００６０】
Ｄ．第４実施形態：
図１０は第４実施形態の鉛蓄電池１００Ｗを示す。第４実施形態の鉛蓄電池１００Ｗの構成の内、上述した第１実施形態の鉛蓄電池１００と同一の構成については、同一符号を付すことによって、その説明を省略する。
【００６１】
図１０に示すように、鉛蓄電池１００Ｗは、上記第１のクランプ電流計４００Ａと、さらに、第１のクランプ電流計４００Ａと同一の構成である第２のクランプ電流計４００Ｗと、中間導電体６００とを備える。上記第３実施形態では、共通の極柱３２０Ａに配置されている２つのクランプ電流計４００Ａ，４００ＡＸの一方は、中蓋２００の内面側に配置され、他方は、中蓋２００の外面側に配置されることにより、２つのクランプ電流計４００Ａ，４００ＡＸの間にある程度の距離が確保されるとともに、絶縁部材が配置されていた。これに対して、本実施形態では、２つのクランプ電流計４００Ａ，４００Ｗは、いずれも中蓋２００の内面側に配置されている。
【００６２】
具体的には、第２のクランプ電流計４００Ｗは、正極側のブッシング３１０Ａと、第１のクランプ電流計４００Ａとの間に配置されている。また、第２のクランプ電流計４００Ｗは、当該第２のクランプ電流計４００Ｗ（磁気コア４１０Ｗ）の内周側に正極側の極柱３２０Ａが位置し、かつ、第２のクランプ電流計４００Ｗの外周側に負極側の極柱３２０Ｂが位置するように配置されている。
【００６３】
中間導電体６００は、環状の導電体であり、例えば金属材料により形成されている。中間導電体６００は、第１のクランプ電流計４００Ａと第２のクランプ電流計４００Ｗとの間に配置されている。また、中間導電体６００は、当該中間導電体６００の内周側に正極側の極柱３２０Ａが位置し、かつ、中間導電体６００の外周側に負極側の極柱３２０Ｂが位置するように配置されている。なお、中間導電体６００は、グランドラインに接続されていることが好ましい。
【００６４】
図１０に示すように、２つのクランプ電流計４００Ａ，４００Ｗが共通の極柱３２０Ａに配置される場合、鉛蓄電池１００における配置スペースの制約上、上記第１実施形態（図４参照）に比べて、２つのクランプ電流計４００Ａ，４００Ｗの間の距離が短くなり、その結果、クランプ電流計４００Ａ，４００Ｗ間の相互リアクタンスによって各クランプ電流計４００Ａ，４００Ｗの測定精度が低下するおそれがある。これに対し、本実施形態によれば、第１のクランプ電流計４００Ａと第２のクランプ電流計４００Ｗとの間に中間導電体６００が配置されている。このため、中間導電体６００の磁気シールド効果により、第１のクランプ電流計４００Ａと第２のクランプ電流計４００Ｗとを近接配置しつつ、２つのクランプ電流計４００Ａ，４００Ｗ間の相互リアクタンスによって各クランプ電流計４００Ａ，４００Ｗの測定精度が低下することを抑制することができる。
【００６５】
Ｅ．変形例：
本明細書で開示される技術は、上述の実施形態に限られるものではなく、その要旨を逸脱しない範囲において種々の形態に変形することができ、例えば次のような変形も可能である。
【００６６】
上記実施形態では、鉛蓄電池１００は、２つのクランプ電流計を備えるとしたが、これに限定されず、１つのクランプ電流計だけを備えるとしてもよいし、３つ以上のクランプ電流計を備えるとしてもよい。なお、本願明細書でいう「環状のクランプ電流計」とは、全周にわたって全く切断部が無い完全な環形であるものに限られず、クランプ電流計の方式によっては、周方向における一部に切断部があるが、全体としてほぼ環状になっているものでもよい。
【００６７】
上記実施形態において、正極側のクランプ電流計４００Ａの測定可能範囲は、負極側のクランプ電流計４００Ｂの測定可能範囲より広く、かつ、負極側のクランプ電流計４００Ｂの測定可能範囲を包含しているとしてもよい。また、また、２つのクランプ電流計の測定可能範囲は互いに同じであるとしてもよい。
【００６８】
上記実施形態では、電流計として、交直零磁束制御方式のクランプ電流計を例示したが、これに限定されず、例えば交流零時磁束制御方式やフラックスゲート方式のクランプ電流計でもよい。また、電流計は、クランプ電流計に限定されず、シャント抵抗を備える電流センサなどでもよい。
【００６９】
上記実施形態では、端子部は、ブッシング３１０Ａ，３１０Ｂを備える端子部３００Ａ，３００Ｂであったが、このような端子部材に限らず、例えば、筐体が端子として機能するリチウムイオン電池における筐体自体であってもよい。
【００７０】
上記第３実施形態では、２つのクランプ電流計４００Ａ，４００ＡＸは、正極側の極柱３２０Ａ（正極側の電流の経路）に配置されているとしたが、これに限定されず、負極側の極柱３２０Ｂ（負極側の電流の経路）に配置されているとしてもよい。具体的には、２つのクランプ電流計４００Ａ，４００ＡＸの両方の内周側に負極側の極柱３２０Ｂが位置し、２つのクランプ電流計４００Ａ，４００ＡＸの両方の外周側に正極側の極柱３２０Ａが位置しているとしてもよい。このような構成でも、上記第３実施形態と同様、２つのクランプ電流計４００Ａ，４００ＡＸ間の相互リアクタンスによって各クランプ電流計４００Ａ，４００ＡＸの測定精度が低下することを抑制することができる。
【００７１】
上記第４実施形態では、２つのクランプ電流計４００Ａ，４００Ｗおよび中間導電体６００は、正極側の極柱３２０Ａ（正極側の電流の経路）に配置されているとしたが、これに限定されず、負極側の極柱３２０Ｂ（負極側の電流の経路）に配置されているとしてもよい。具体的には、２つのクランプ電流計４００Ａ，４００Ｗおよび中間導電体６００の内周側に負極側の極柱３２０Ｂが位置し、２つのクランプ電流計４００Ａ，４００Ｗおよび中間導電体６００の外周側に正極側の極柱３２０Ａが位置しているとしてもよい。このような構成でも、上記第４実施形態と同様、第１のクランプ電流計４００Ａと第２のクランプ電流計４００Ｗとを近接配置しつつ、２つのクランプ電流計４００Ａ，４００Ｗ間の相互リアクタンスによって各クランプ電流計４００Ａ，４００Ｗの測定精度が低下することを抑制することができる。
【００７２】
上記第４実施形態では、２つのクランプ電流計４００Ａ，４００Ｗが、いずれも中蓋２００の内面側に配置されていたが、２つのクランプ電流計４００Ａ，４００Ｗが、いずれも中蓋２００の外面側に配置されているとしてもよい。
【００７３】
上記実施形態において、電流計は、上述の電流の閉回路上において端子部３００Ａ，３００Ｂ以外の位置に配置されているとしてもよい。例えば、電流計は、集電部材１１２Ａ，１１２Ｂ、耳部１１１Ａ，１１１Ｂや、接続部材１３０に配置されているとしてもよい。
【００７４】
本明細書において「一対の電極のそれぞれに電気的に接続された導電性を有する一対の端子部」とは、筐体の内部で複数のセルが直列に接続された電池の場合には、１セルを構成する正極と負極とのそれぞれに接続された一対の端子部である必要は無く、例えば直列に接続された複数のセルにおける一端のセルの正極と他端のセルの負極とのそれぞれに接続された一対の端子部を含むものとする。
【００７５】
上記実施形態では、電池として、鉛蓄電池１００等を例示したが、これに限定されず、リチウムイオン電池等の二次電池でもよく、さらには、マンガン電池、アルカリ電池等の一次電池でもよい。
【００７６】
上記電池において、さらに、前記少なくとも１つの電流計に接続され、前記電流計による電流の測定結果を取得する処理回路を備える構成としてもよい。本電池によれば、電流計による電流の測定結果を取得する処理回路を備えるので、外部装置に頼ること無く、電流計による電流の測定結果に対応する処理を実行することができる。すなわち、電池が備える構成要素だけで、電池に流れる電流測定と、その測定結果に対応する処理とを行うことができる。
【００７７】
上記電池において、前記少なくとも１つの電流計は、第１の電流計と、前記第１の電流計よりも測定可能範囲が広い第２の電流計とを含み、前記電池は、さらに、制御部を備え、前記制御部は、前記第２の電流計によって測定された電流が閾値より大きいことを条件に、前記第２の電流計による電流の測定結果を出力し、前記第２の電流計によって測定された電流が前記閾値以下であり、かつ、前記第１の電流計によって測定された電流と前記第２の電流計によって測定された電流との差の絶対値が基準値以下であることを条件に、前記第１の電流計による電流の測定結果を出力する構成としてもよい。本電池によれば、第２の電流計によって測定された電流と閾値との大小関係に応じて、第１の電流計による電流の測定結果と第２の電流計による電流の測定結果との一方を選択することができる。
【００７８】
上記電池において、さらに、報知部を備え、前記制御部は、前記第２の電流計によって測定された電流が前記閾値以下であり、かつ、前記第１の電流計によって測定された電流と前記第２の電流計によって測定された電流との差の絶対値が前記基準値よりも大きいことを条件に、前記報知部に報知させる構成としてもよい。本電池によれば、電池のユーザは、報知部の報知により、第１の電流計と第２の電流計との少なくとも一方に誤測定があったことを認識することができる。
【００７９】
上記電池において、さらに、不揮発性メモリと、前記電流計による電流の測定結果を前記不揮発性メモリに記憶させる制御部と、を備える構成としてもよい。本電池によれば、電流計の測定結果が記憶される不揮発性メモリを備えるので、電池の不具合等により電池が交換された場合において、交換された電池に備えられた不揮発性メモリに記憶されている電流の測定結果から、電池の不具合の原因を解析することができる。
【００８０】
なお、本明細書によって開示される技術は、種々の形態で実現することが可能であり、例えば、電池の電流測定方法および電池監視装置、それらの方法または装置の機能を実現するためのコンピュータプログラム、そのコンピュータプログラムを記録した記録媒体等の形態で実現することが可能である。
【符号の説明】
【００８１】
６１Ａ，６１Ｂ：増幅器  ６２Ａ，６２Ｂ：抵抗  ８０：電子回路基板  ８１：ＣＰＵ  ８２：不揮発性メモリ  ８３：無線通信部  ８４：表示部  ８５：電圧センサ  ８６Ａ〜８７Ｂ：リード部  １００，１００Ｘ，１００Ｙ，１００Ｗ：鉛蓄電池  １０１：筐体  １０２：電槽  １０４：極板群  １０６：蓋  １１０Ａ：正極板  １１０Ｂ：負極板  １１１Ａ，１１１Ｂ：耳部  １１２Ａ，１１２Ｂ：集電部材  １２０：セパレータ  １３０：接続部材  ２００：中蓋  ２０１：第１の上蓋  ２０２：第２の上蓋  ２０２Ａ：連通孔  ２０３：透過窓  ２０４：回路収納部  ２０６：突起  ２０８：流路室  ３００Ａ，３００Ｂ：端子部  ３１０Ａ，３１０Ｂ：ブッシング  ３１１Ａ：貫通孔  ３１２Ａ，３１２Ｂ：端子接続導体  ３２０Ａ，３２０Ｂ：極柱  ４００Ａ，４００ＡＸ，４００Ｂ，４００ＢＸ，４００Ｗ：クランプ電流計  ４１０Ａ，４１０ＡＸ，４１０Ｂ，４１０Ｗ：磁気コア  ４２０Ａ，４２０Ｂ：ホール素子  ４３０Ａ，４３０Ｂ：帰還コイル  ４４１Ａ，４４１ＡＸ，４４１Ｂ：センサ接続導体  ５００Ａ，５００Ｂ：カバー体  ６００：中間導電体  Ｉ：電流  Ｓ：収容空間  Ｕ：電解液
【図１】
2017224542.tif 000003
【図２】
2017224542.tif 000004
【図３】
2017224542.tif 000005
【図４】
2017224542.tif 000006
【図５】
2017224542.tif 000007
【図６】
2017224542.tif 000008
【図７】
2017224542.tif 000009
【図８】
2017224542.tif 000010
【図９】
2017224542.tif 000011
【図１０】
2017224542.tif 000012